【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
前記光を出射する光源と、
前記光源から出射された光を、走査方向が変化する２つの走査折返し点のうち一方の第１位置と前記第１位置と異なる他方の第２位置との間で往復偏向しつつ反射する偏向器と、
前記第１位置と前記第２位置との間に位置する第３位置上に偏向された光を検出可能な位置に配置された光センサと、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とを可能に構成されたタイマと、
前記第３時点において前記光源から出射される光を画像データに基づいて変調開始し、前記タイマによって計時した前記第１期間の長さと所定期間の長さとの差異を計算し、前記第２期間の長さを該計算された差異に基づいて変更可能に構成された制御部とを具備して成ることを特徴とする光走査装置。
【請求項２】
請求項１に記載の光走査装置であって、
前記所定期間は、前記偏向器が振幅ジッタ無しに前記光を偏向する場合の前記第１時点から前記第２時点までの期間であることを特徴とする光走査装置。
【請求項３】
請求項１に記載の光走査装置であって、
前記タイマは、前記第３時点を起点として当該起点から第３期間を計時し、
前記制御部は、前記第３期間の計時終了時において前記光源から出射される前記光の変調を終了することを特徴とする光走査装置。
【請求項４】
請求項３に記載の光走査装置であって、
前記第３期間の長さは、前記計算された差異に基づいて可変とされることを特徴とする光走査装置。
【請求項５】
請求項１に記載の光走査装置であって、
前記偏向器は、前記光の往復走査の方向に細長い形状の光走査部を有し、前記光を偏向すべく振動されるミラー部材を備えることを特徴とする光走査装置。
【請求項６】
請求項１に記載の光走査装置であって、
前記第１位置と前記第３位置間の距離は、前記第２位置と該第３位置間の距離よりも短く、
前記制御部は、前記光が前記第３位置を通過後、走査方向が変化する前に該光の変調を開始する。
【請求項７】
画像形成装置であって、
感光部材と、
前記感光部材を均一に帯電させる帯電装置と、
前記感光部材上を光により第１方向に沿って走査すべく構成された光走査装置であって、
前記光を出射する光源と、
前記光源から出射された光を、走査方向が変化する２つの走査折返し点のうち一方の第１位置と第１位置と異なる他方の第２位置との間で前記第１方向に往復偏向しつつ反射する偏向器と、
前記第１位置と前記第２位置との間に位置する第３位置上に偏向された光を検出可能な位置に配置された光センサと、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とを可能に構成されたタイマと、
前記第３時点において前記光源から出射される光を画像データに基づいて変調開始して前記感光部材上に静電潜像を形成し、前記タイマによって計時した前記第１期間の長さと所定期間の長さとの差異を計算し、前記第２期間の長さを該計算された差異に基づいて変更可能に構成されたものとを備えた制御部と、
前記静電潜像を可視画像として現像可能に構成された現像装置とを具備して成ることを特徴とする画像形成装置。
【請求項８】
請求項７に記載の光走査装置であって、
前記第３位置は、前記感光部材において画像形成に用いられる領域の外側に対応することを特徴とする画像形成装置。
【請求項９】
光源より光を出射し、
前記光源から出射された光を、偏向器により走査方向が変化する２つの走査折返し点のうち一方の第１位置と第１の位置と異なる他方の第２位置との間で第１方向に往復偏向しつつ反射し、
前記第１位置と前記第２位置との間に位置する第３位置上に偏向された光を検出可能な位置に光センサを配置し、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とをタイマにより行ない、
前記第３時点において前記光源から出射される光ビームを画像データに基づいて変調開始し、
前記第１期間の長さと所定期間の長さとの差異を計算し、
前記第２期間の長さを前記計算された差異に基づいて変更することを特徴とする光走査装置の制御方法。
【手続補正２】
【補正対象書類名】明細書
【補正対象項目名】００１７
【補正方法】変更
【補正の内容】
【００１７】
上記目的を達成するために、本発明によれば、前記光を出射する光源と、
前記光源から出射された光を、走査方向が変化する２つの走査折返し点のうち一方の第１位置と第１位置と異なる他方の第２位置との間で往復偏向しつつ反射する偏向器と、
前記第１位置と前記第２位置との間に位置する第３位置上に偏向された光を検出可能な位置に配置された光センサと、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とを可能に構成されたタイマと、
前記第３時点において前記光源から出射される光を画像データに基づいて変調開始し、前記タイマによって計時した前記第１期間の長さと所定期間の長さとの差異を計算し、前記第２期間の長さを該計算された差異に基づいて変更可能に構成された制御部とを具備して成ることを特徴とする光走査装置が提供される。
【手続補正３】
【補正対象書類名】明細書
【補正対象項目名】００１８
【補正方法】変更
【補正の内容】
【００１８】
前記所定期間は、前記偏向器が振幅ジッタ無しに前記光を偏向する場合の前記第１時点から前記第２時点までの期間とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
前記タイマは、前記第３時点を起点として当該起点から第３期間を計時し、前記制御部は、前記第３期間の計時終了時において前記光源から出射される前記光の変調を終了する。
【手続補正６】
【補正対象書類名】明細書
【補正対象項目名】００２１
【補正方法】変更
【補正の内容】
【００２１】
前記第３期間の長さは、前記計算された差異に基づいて可変としてもよい。
前記偏向器は、前記光の往復走査の方向に細長い形状の光走査部を有し、前記光を偏向すべく振動されるミラー部材を備える。
前記第１位置と前記第３位置間の距離は、前記第２位置と該第３位置間の距離よりも短く、前記制御部は、前記光が前記第３位置を通過後、走査方向が変化する前に該光の変調を開始する。
【手続補正７】
【補正対象書類名】明細書
【補正対象項目名】００２２
【補正方法】変更
【補正の内容】
【００２２】
本発明によれば、画像形成装置であって、
感光部材と、
前記感光部材を均一に帯電させる帯電装置と、
前記感光部材上を光により第１方向に沿って走査すべく構成された光走査装置であって、
前記光を出射する光源と、
前記光源から出射された光を、走査方向が変化する２つの走査折返し点のうち一方の第１位置と第１位置と異なる他方の第２位置との間で前記第１方向に往復偏向しつつ反射する偏向器と、
前記第１位置と前記第２位置との間に位置する第３位置上に偏向された光を検出可能な位置に配置された光センサと、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とを可能に構成されたタイマと、
前記第３時点において前記光源から出射される光を画像データに基づいて変調開始して前記感光部材上に静電潜像を形成し、前記タイマによって計時した前記第１期間の長さと所定期間の長さとの差異を計算し、前記第２期間の長さを該計算された差異に基づいて変更可能に構成されたものとを備えた制御部と、
前記静電潜像を可視画像として現像可能に構成された現像装置とを具備して成ることを特徴とする画像形成装置も提供される。
また、前記第３位置は、前記感光部材において画像形成に用いられる領域の外側に対応する。
【手続補正８】
【補正対象書類名】明細書
【補正対象項目名】００２３
【補正方法】変更
【補正の内容】
【００２３】
本発明によれば、光源より光を出射し、
前記光源から出射された光を、偏向器により走査方向が変化する２つの走査折返し点のうち一方の第１位置と第１の位置と異なる他方の第２位置との間で第１方向に往復偏向しつつ反射し、
前記第１位置と前記第２位置との間に位置する第３位置上に偏向された光を検出可能な位置に光センサを配置し、
前記光センサが前記第１位置に接近する方向に偏向された光を検出する第１時点から、該光センサが該第１位置から離間する方向に偏向された光を検出する第２時点までの第１期間と、該第２時点から第２期間経過した第３時点までの計時とをタイマにより行ない、
前記第３時点において前記光源から出射される光ビームを画像データに基づいて変調開始し、
前記第１期間の長さと所定期間の長さとの差異を計算し、
前記第２期間の長さを前記計算された差異に基づいて変更することを特徴とする光走査装置の制御方法も提供される。